【手続補正書】
【提出日】平成19年5月1日(2007.5.1)
【手続補正１】
【補正対象書類名】特許請求の範囲
【補正対象項目名】全文
【補正方法】変更
【補正の内容】
【特許請求の範囲】
【請求項１】
重心が左右いずれか一方に片寄る原稿圧着板を事務機器の機器本体に対して２種類の第１原稿圧着板開閉部及び第２原稿圧着板開閉部で開閉可能に支持する原稿圧着板開閉装置であって、
前記重心が片寄った側の前記原稿圧着板を支持する第１原稿圧着板開閉部が、前記機器本体に取り付けられる第１取付部材と、この第１取付部材に回動可能に軸支された第１支持部材と、この第１支持部材に重なり合うと共に該第１支持部材の自由端部に回動可能に軸支され、かつ、前記原稿圧着板に取り付けられる第１リフト部材と、前記第１取付部材と前記第１支持部材との間に設けられ、前記原稿圧着板を開成方向に回動付勢すると共に、前記第１リフト部材を前記第１支持部材と重なり合う方向へ付勢する弾性手段と、を備え、
前記重心が片寄った側と反対側の前記原稿圧着板を支持する第２原稿圧着板開閉部が、前記機器本体に取り付けられ、対向する２つの側板を有する第２取付部材と、両側板を有し前記第２取付部材の両側板に第１回動ヒンジピンを介して回動可能に軸支された第２支持部材と、この第２支持部材に重なり合うと共に該第２支持部材の対向する２つの側板の自由端部にその両側板を第２回動ヒンジピンを介して回動可能に軸支され、かつ、前記原稿圧着板に取り付けられる第２リフト部材と、前記第２回動ヒンジピンに環巻きされつつ前記第２支持部材と前記第２リフト部材との間に設けられ、前記第２リフト部材を前記第２支持部材と重なり合う方向へ付勢するトーションスプリングと、を備えたことを特徴とする、原稿圧着板開閉装置。
【請求項２】
前記第１原稿圧着板開閉部及び前記第２原稿圧着板開閉部の少なくとも一方に、前記原稿圧着板の水平位置を調節する水平位置調節手段を設けたことを特徴とする、請求項１に記載の原稿圧着板開閉装置。
【請求項３】
前記請求項１又は２に記載の原稿圧着板開閉装置を備えたことを特徴とする事務機器。
【手続補正２】
【補正対象書類名】明細書
【補正対象項目名】０００６
【補正方法】変更
【補正の内容】
【０００６】
前記目的を達成するために本発明に係る原稿圧着板開閉装置は、重心が左右いずれか一方に片寄る原稿圧着板を事務機器の機器本体に対して２種類の第１原稿圧着板開閉部及び第２原稿圧着板開閉部で開閉可能に支持する原稿圧着板開閉装置であって、前記重心が片寄った側の前記原稿圧着板を支持する第１原稿圧着板開閉部が、前記機器本体に取り付けられる第１取付部材と、この第１取付部材に回動可能に軸支された第１支持部材と、この第１支持部材に重なり合うと共に該第１支持部材の自由端部に回動可能に軸支され、かつ、前記原稿圧着板に取り付けられる第１リフト部材と、前記第１取付部材と前記第１支持部材との間に設けられ、前記原稿圧着板を開成方向に回動付勢すると共に、前記第１リフト部材を前記第１支持部材と重なり合う方向へ付勢する弾性手段と、を備え、前記重心が片寄った側と反対側の前記原稿圧着板を支持する第２原稿圧着板開閉部が、前記機器本体に取り付けられ、対向する２つの側板を有する第２取付部材と、両側板を有し前記第２取付部材の両側板に第１回動ヒンジピンを介して回動可能に軸支された第２支持部材と、この第２支持部材に重なり合うと共に該第２支持部材の対向する２つの側板の自由端部にその両側板を第２回動ヒンジピンを介して回動可能に軸支され、かつ、前記原稿圧着板に取り付けられる第２リフト部材と、前記第２回動ヒンジピンに環巻きされつつ前記第２支持部材と前記第２リフト部材との間に設けられ、前記第２リフト部材を前記第２支持部材と重なり合う方向へ付勢するトーションスプリングと、を備えたことを特徴とする。
【手続補正３】
【補正対象書類名】明細書
【補正対象項目名】００１０
【補正方法】変更
【補正の内容】
【００１０】
以上説明したように本発明に係る原稿圧着板開閉装置及び事務機器によれば、第２原稿圧着板開閉部が、第２回動ヒンジピンに環巻きされつつ第２支持部材と第２リフト部材との間に設けられ、第２リフト部材を第２支持部材と重なり合う方向へ付勢するトーションスプリングを備えたので、構造が簡単でさらにコストダウンを図った上で、原稿圧着板の開閉時における安定性を図って操作性を向上することができる。
【手続補正４】
【補正対象書類名】明細書
【補正対象項目名】００１９
【補正方法】変更
【補正の内容】
【００１９】
また、上板１３１の後端部近傍には、原稿圧着板３の水平位置を調節する水平位置調節手段４５が設けられていることが好ましい。水平位置調節手段４５は、例えば、上板１３１の後端部近傍であってその幅方向の中央部（略中央部を含む。）に設けられた調節ネジ１５１と締結ナット１５２とからなる。締結ナット１５２が上板１３１に固定され、この締結ナット１５２に調節ネジ１５１が螺合されると共に、調節ネジ１５１の先端が第１支持部材４２の上板１２１に当接して、調節ネジ１５１の調節により第１支持部材４２と第１リフト部材４３との間隔が調節されて、原稿圧着板３の水平位置が調節されるようになっている。
【手続補正５】
【補正対象書類名】明細書
【補正対象項目名】００２８
【補正方法】変更
【補正の内容】
【００２８】
第２支持部材５２は、上板２２１と、上板２２１の両側端部からそれぞれ上板２２１に対して直交する方向（略直交する方向も含む。）に延びると共に互いに対向する両側板２２２、２２２とからなる。両側板２２２、２２２の一端部（後端部）には、第２回動ヒンジピンである第４ヒンジピン５７が挿通される第４ヒンジピン孔（図示せず）が設けられている。両側板２２２、２２２の他端部（前端部）には、第３ヒンジピン挿通孔２２５が設けられている。両側板２２２、２２２の第３ヒンジピン挿通孔２２５と第２取付部材５１の第３ヒンジピン孔とが軸合わせされてこれら孔２２５に第３ヒンジピン５６が挿通されることによって、第２支持部材５２が第２取付部材５１に第３ヒンジピン５６を介して回動可能に連結されている。
【手続補正６】
【補正対象書類名】明細書
【補正対象項目名】００３１
【補正方法】変更
【補正の内容】
【００３１】
トーションスプリング５４は、第２回動ヒンジピンである第４ヒンジピン５７に環巻きされつつ第２リフト部材５３を第２支持部材５２と重なり合う方向へ付勢すると共に、原稿圧着板３が所定の閉成角度以下のとき、原稿圧着板３を付勢する付勢力が原稿圧着板３の重量より弱いものである。トーションスプリング５４の一端部５４ａは、第２支持部材５２の上板２２１の下面に当接していると共に、その他端部５４ｂは、第２リフト部材５３の上板２３１に設けられたスプリング挿通孔２３５に挿通されて、トーションスプリング５４の付勢力により、第２リフト部材５３の上板２３１の調節ネジ２５１の先端が第２支持部材５２の上板２２１に当接して、第２支持部材５２の上板２２１と第２リフト部材５３の上板２３１とが重なりあう又は略重なりあうようになっている。第２リフト部材５３の上板２３１に設けられたスプリング挿通孔２３５は、トーションスプリング５４の装着が容易となるように、トーションスプリング５４の他端部５４ｂをその付勢力に抗して上板２３１の下方から上方に通す移動挿入部２３５ａと、この移動挿入部２３５ａを通したトーションスプリング５４の他端部５４ｂを当接係止させる当接部２３５ｂとから形成されている。
【手続補正７】
【補正対象書類名】図面
【補正対象項目名】図３
【補正方法】変更
【補正の内容】
【図３】
2006139008.tif 000001